(57)【特許請求の範囲】
【請求項１】
商品の購入、両替等のために硬貨を投入する硬貨投入装置であって、基台と、１枚または２枚以上の硬貨を載置することができる硬貨載置部を有する硬貨移動手段とからなり、前記基台は、硬貨を投入する硬貨投入口と、待機位置と硬貨を硬貨投入口に投入する硬貨投入位置との間で前記硬貨移動手段を移動自在に支持するガイド部とを備え、硬貨載置部上に硬貨を載置して硬貨移動手段を硬貨投入位置に移動することにより硬貨を硬貨投入口に投入できるようにしたことを特徴とする硬貨投入装置。
【請求項２】
商品の購入、両替等のために硬貨を投入する硬貨投入装置であって、基台と、硬貨移動手段と、１枚または２枚以上の硬貨を載置することができる硬貨載置部を有する回動部とからなり、前記基台は、硬貨を投入する硬貨投入口と、待機位置と硬貨を硬貨投入口に投入する硬貨投入位置との間で前記硬貨移動手段を移動自在に支持するガイド部を備え、前記硬貨移動手段は、収納位置と硬貨を載置する硬貨載置位置との間で前記回動部を回動自在に支持する回動支持部を備え、前記回動部が硬貨載置位置にある状態において硬貨載置部上に硬貨を載置できるようにするとともに、この状態で硬貨移動手段を硬貨投入位置に移動することにより硬貨を硬貨投入口に投入できるようにしたことを特徴とする硬貨投入装置。
【発明の詳細な説明】
【０００１】
【発明の属する技術分野】
本発明は、自動販売機、券売機、両替機等の硬貨投入装置に関するものである。
【０００２】
【従来の技術】
例えば、自動販売機では、水平に形成されたスリット状の硬貨投入口を設けた硬貨投入装置が多く採用されている。このような硬貨投入装置では、硬貨を１枚ずつ投入口に押し入れなければならず、特に身障者にとっては煩わしいものであった。また、健常者にとっても、寒い時期に硬貨の投入がしずらく、改善が望まれていた。
【０００３】
そこで、上記従来技術の課題を解決するものとして、複数の硬貨をまとめて投入する硬貨投入装置がある。これは、広い受け皿と、投入口に硬貨が縦に入るようにした溝を設け、受け皿に載せた硬貨を指ではじきながら溝に誘導させるものである。このような硬貨投入装置では、、受け皿の突き出しを大きくする必要がある上に、投入する硬貨の枚数が多くなると１枚１枚を溝に導くのが難しくなり、例えば２枚の硬貨が同時に溝に入ると干渉して詰まりやすくなり、硬貨の投入に時間がかかっていた。
【０００４】
また、複数の硬貨をまとめて硬貨投入装置に投入し、自動的に分離搬送させ、硬貨を識別部へ送るものもあるが、装置が大掛かりになり、コスト高になるという問題があった。
【０００５】
さらに、特開平９−２４５２２７号公報には、受け皿を有しない投入口と、受け皿を有する投入口を設けた硬貨投入装置が開示されている。このような硬貨投入装置でも、投入口を２カ所設ける必要があり、装置が大型化してコストが高くなるという問題があった。
【０００６】
【発明が解決しようとする課題】
本発明は、上記従来の硬貨投入装置が有する問題点を解決するためになされたものであって、健常者でも、身障者でも扱いやすく、しかも安価な硬貨投入装置を提供するものである。
【０００７】
【課題を解決するための手段】
商品の購入、両替等のために硬貨を投入する硬貨投入装置において、基台と、１枚または２枚以上の硬貨を載置することができる硬貨載置部を有する硬貨移動手段とからなり、前記基台は、硬貨を投入する硬貨投入口と、待機位置と硬貨を硬貨投入口に投入する硬貨投入位置との間で前記硬貨移動手段を移動自在に支持するガイド部とを備え、硬貨載置部上に硬貨を載置して硬貨移動手段を硬貨投入位置に移動することにより硬貨を硬貨投入口に投入できるようにした。
【０００８】
また、商品の購入、両替等のために硬貨を投入する硬貨投入装置であって、基台と、硬貨移動手段と、１枚または２枚以上の硬貨を載置することができる硬貨載置部を有する回動部とからなり、前記基台は、硬貨を投入する硬貨投入口と、待機位置と硬貨を硬貨投入口に投入する硬貨投入位置との間で前記硬貨移動手段を移動自在に支持するガイド部を備え、前記硬貨移動手段は、収納位置と硬貨を載置する硬貨載置位置との間で前記回動部を回動自在に支持する回動支持部を備え、前記回動部が硬貨載置位置にある状態において硬貨載置部上に硬貨を載置できるようにするとともに、この状態で硬貨移動手段を硬貨投入位置に移動することにより硬貨を硬貨投入口に投入できるようにした。
【０００９】
【発明の実施の形態】
（発明の実施の形態１）
まず、本発明による硬貨投入装置を装着して使用する自動販売機の構成について、図面に基づいて説明する。
【００１０】
図５は、缶飲料を販売する自動販売機の正面図である。図５に示すように、自動販売機４０の前面部分は、その下方の一部を除いてドア４６で占められている。ドア４６の前面上部には、透明パネル４１によって覆われた商品展示スペースが形成されており、サンプル商品４２が展示されている。各サンプル商品４２の下方には、当該商品がホット商品であるか、またはコールド商品であるかの識別表示（「ＨＯＴ」または「ＣＯＬＤ」の表示）、価格等を示すサブパネル４３が設けられている。透明パネル４１の表面には、購入しようとする商品を選択する選択ボタン４４が、各サンプル商品４２に対応して設けられている。また、ドアロック４５は、ドア４６を施錠・開錠するようになっている。商品展示スペースの下方右側には、硬貨を投入する硬貨投入口４７，一旦投入した硬貨を返却する返却レバー５０，つり銭返却口５１，オプションを取り付けるためのオプション取付口５４，搬出された商品を取り出すための商品取出口５５が設けられている。ドア４６の背面には、投入された硬貨を受け入れる受け入れ口５２を有し、硬貨を１０円、５０円、１００円等に選別する硬貨選別装置５３が設けられている。自動販売機４０の前面下部には、空気を導入する空気導入口５６が設けられ、また、仕様、型式等を記載したネームプレート５７が取り付けられている。
【００１１】
本発明による硬貨投入装置は、上記自動販売機の硬貨投入口４９などに取り付けられて使用されるものであり、一実施の形態を図１，図２に基づいて説明する。
【００１２】
図１は、本発明に係る硬貨投入装置の正面図、図２は、本発明に係る硬貨投入装置の断面図である。
【００１３】
図１，図２において硬貨投入装置１は、ベース２および硬貨移動手段３で構成されており、硬貨識別装置の前面に装着されるものである。ベース２には、長孔状のスライド溝７，７，７，７，所定の傾斜面で形成されている上限ガイド５，硬貨を硬貨識別装置等に誘導する硬貨投入口６，硬貨ガイド溝１１が形成されている。一方、硬貨移動手段３には、上限ガイド５の傾斜面と略平行な傾斜面で形成された硬貨載置部４が設けられるとともに、フランジ付きガイドピン８，８，８，８が、それぞれベース２に形成されたスライド溝７，７，７，７を介して、取り付けられている。
【００１４】
次に、上記のように構成された硬貨投入装置を図５に示す自動販売機４０に装着した場合について、硬貨の投入動作を説明する。
【００１５】
自動販売機４０から商品を購入するには、まず所定金額以上の硬貨Ｃ（例えば、購入する商品が１２０円であれば、１００円玉１個と１０円玉２個、１００円玉１個と５０円玉１個、１００円玉２個など）を硬貨移動手段３の硬貨載置部４上に重ねて載置する。硬貨Ｃが硬貨載置部４上に載置された状態では、硬貨載置部４上に載置された硬貨Ｃのエッジ部分が硬貨ガイド溝１１と当接している。この状態から、手で硬貨移動手段３を上方（矢印のＡ方向）に押し上げると、硬貨移動手段３に取り付けられたフランジ付きガイドピン８，８，８，８が、それぞれベース２に形成されたスライド溝７，７，７，７に沿って移動する。硬貨移動手段３が上方に移動する際、硬貨載置部４上に載置された硬貨Ｃは、そのエッジ部分が硬貨ガイド溝１１と摺動するようになっており、常に一定の姿勢が保たれている。
【００１６】
硬貨移動手段３が上昇して、硬貨載置部４上に載置された硬貨Ｃのうち最上部の硬貨Ｃがベース２の上限ガイド５と当接する間際に来る（硬貨Ｃのエッジ部分とガイド溝１１とが当接しなくなる）と、最上部の硬貨Ｃは，自重によりスライドして硬貨投入口６内に投入され、硬貨処理装置９の投入口１０に搬入されるようになる。さらに、硬貨移動手段３が上昇すると、最上部の硬貨Ｃから順次硬貨投入口６に投入されていく。なお、硬貨移動手段３を強く押し上げると、最上部の硬貨Ｃはベース２の上限ガイド５と当接して、硬貨投入口６に投入されることはないが、硬貨移動手段３を少し下げることにより、投入できるようになる。
【００１７】
硬貨Ｃの投入動作が終了すると、硬貨移動手段３から手を離すなどして硬貨移動手段３を下方におろすことにより、元の待機位置に戻る。
【００１８】
そして、所望の選択ボタン４４を押すと、商品取出口５５の内部に、当該商品が搬出される。つり銭がある場合は、つり銭返却口５１内に所定金額のつり銭が返却される。
【００１９】
また、商品の購入を中止する場合には、返却レバー５０を回すことにより、投入した硬貨Ｃは、つり銭返却口５１内に返却される。
【００２０】
本実施の形態では、硬貨移動手段３の上昇時に硬貨Ｃのエッジ部分が硬貨ガイド溝１１に摺動するように構成しているが、硬貨移動手段３に硬貨Ｃを支持する硬貨支持部を設けるとともに、硬貨移動手段３を硬貨投入位置に移動すると、硬貨Ｃの支持を解除して硬貨Ｃを硬貨投入口６に投入するように構成してもよい。
【００２１】
また、本実施の形態では、硬貨移動手段３を上昇させることにより硬貨載置部４上に載置された硬貨Ｃを硬貨投入口６に投入するように構成しているが、硬貨移動手段３を上方に付勢しておいて下方に移動させることにより、硬貨Ｃを硬貨投入口６に投入するような構成であってもよい。
【００２２】
（発明の実施の形態２）
次に、図３，４に基づき、本発明にかかる硬貨投入口装置について、他の実施の形態を説明する。
【００２３】
図３，図４において、硬貨投入装置２１は、ベース２２，硬貨移動手段２３，回動部２４で構成されている。ベース２２には、所定の傾斜角で形成された上限ガイド２６，硬貨識別装置などに硬貨Ｃを誘導する投入口２７，硬貨摺動部３２が設けられている。硬貨移動手段２３には、回動支持部２９，２９，回動ガイド部３０，３０が設けられるとともに、上記実施の形態１と同様にベース２２に対して上下方向に移動自在に支持されている（図示せず）。回動部２４には、硬貨Ｃを載置する硬貨載置部２５，回動軸２８，２８，突起部３１，３１が設けられており、回動軸２８，２８は、硬貨移動手段２３の回動支持部２９，２９と、突起部３１，３１は、回動ガイド部３０，３０とそれぞれ係合している。また、回動部２４は、２８，２８を中心として矢印Ｂの方向に回動自在に支持されており、硬貨投入装置を使用しない待機状態において、回動部２４は、硬貨投入装置２１内に収納されるようになっている。
【００２４】
本実施の形態に係る硬貨投入装置２１も、自動販売機等に使用されるものであり、ここでは硬貨の投入動作のみについて説明する。
【００２５】
回動部２４が、硬貨移動手段２３内に収納されている状態から、硬貨投入装置２１に硬貨Ｃを投入するには、まず回動部２４を前方に引き出すように回動させ、硬貨載置部２５上に硬貨Ｃを重ねて載せる。そして、可動部２３を上方に押し上げ、実施の形態１と同様の動作により、硬貨Ｃが硬貨投入口２７に投入される。硬貨Ｃの投入動作が終了し、硬貨載置部２５上に硬貨Ｃがない状態になれば、回動部２４は、回動可能な状態になるため、回動部２４を回動させて、硬貨移動手段２３内に収納することができる。
【００２６】
本実施の形態では、回動部２４は硬貨投入装置２１内に収納された状態（収納状態）と、硬貨Ｃを載置することができる状態（載置可能状態）のいずれの状態にすることもできるように構成されているが、コイルスプリング等により収納状態になるように付勢するようにして、硬貨載置部２５上に硬貨Ｃがない場合は、回動部２４は常に収納状態になるような構成であっても良い。この場合、回動部２４を載置可能な状態にするには、コイルスプリングの付勢力に抗して回動させることになる。
【００２７】
【発明の効果】
本発明によれば、商品の購入、両替等のために硬貨を投入する硬貨投入装置であって、基台と、１枚または２枚以上の硬貨を載置することができる硬貨載置部を有する硬貨移動手段とからなり、前記基台は、硬貨を投入する硬貨投入口と、待機位置と硬貨を硬貨投入口に投入する硬貨投入位置との間で前記硬貨移動手段を移動自在に支持するガイド部とを備え、硬貨載置部上に硬貨を載置して硬貨移動手段を硬貨投入位置に移動することにより硬貨を硬貨投入口に投入できるようにしたため、複数枚の硬貨を投入する際に、健常者・身障者のいずれでも容易に硬貨を投入することができる。
【００２８】
また、商品の購入、両替等のために硬貨を投入する硬貨投入装置であって、基台と、硬貨移動手段と、１枚または２枚以上の硬貨を載置することができる硬貨載置部を有する回動部とからなり、前記基台は、硬貨を投入する硬貨投入口と、待機位置と硬貨を硬貨投入口に投入する硬貨投入位置との間で前記硬貨移動手段を移動自在に支持するガイド部を備え、前記硬貨移動手段は、収納位置と硬貨を載置する硬貨載置位置との間で前記回動部を回動自在に支持する回動支持部を備え、前記回動部が硬貨載置位置にある状態において硬貨載置部上に硬貨を載置できるようにするとともに、この状態で硬貨移動手段を硬貨投入位置に移動することにより硬貨を硬貨投入口に投入できるようにしたため、上記の効果に加えて、硬貨投入装置を使用しないときには、回動部を装置内に収納することができるため、邪魔になることがないという効果がある。
【図面の簡単な説明】
【図１】本発明の実施の形態１にかかる硬貨投入装置の正面図である。
【図２】本発明の実施の形態１にかかる硬貨投入装置の断面図である。
【図３】本発明の実施の形態２にかかる硬貨投入装置の正面図である。
【図４】本発明の実施の形態２にかかる硬貨投入装置の断面図である。
【図５】缶飲料を販売する自動販売機の正面図である。
【符号の説明】
１  硬貨投入装置
２  ベース
３  硬貨移動手段
４  硬貨載置部
５  上限ガイド
６  硬貨投入口
７  スライド溝
２１  硬貨投入装置
２２  ベース
２３  硬貨移動手段
２４  回動部
２６  上限ガイド
２７  硬貨投入口
【図１】
0003750410.tif 000002
【図２】
0003750410.tif 000003
【図３】
0003750410.tif 000004
【図４】
0003750410.tif 000005
【図５】
0003750410.tif 000006